(57)【要約】【課題】ＤＳＳコンソールに専用の接続ラインケーブルを不要とし、配線の簡素化を図ったＬＡＮインターフェースを有する構内電話システムを提供する。【解決手段】複数の内線端末（ＩＰ電話機５）を収容して外線との交換を行う主装置１と連係してワンタッチボタンで内線端末（ＩＰ電話機５）を呼べるようにするＤＳＳコンソール３を有する構内電話システムにおいて、主装置１はＬＡＮインターフェース１２を有し、ＤＳＳコンソール３はＬＡＮスイッチ回路３２を有するＬＡＮインターフェース３１，３２を有し、主装置１のＬＡＮインターフェース１２からＤＳＳコンソール３がＬＡＮスイッチ回路３２を介してＰＣ４と同一ＬＡＮ上に接続される。【選択図】図２
2006165655.tif 000002
【特許請求の範囲】
【請求項１】
複数の内線端末を収容して外線との交換を行う主装置と連係してワンタッチボタンで内線端末を呼べるようにするＤＳＳコンソールを有する構内電話システムにおいて、
前記主装置はＬＡＮインターフェースを有し、
前記ＤＳＳコンソールはＬＡＮスイッチ機能を有するＬＡＮインターフェースを有し、
前記主装置のＬＡＮインターフェースから前記ＤＳＳコンソールが前記ＬＡＮスイッチを介して情報端末と同一ＬＡＮ上に接続されることを特徴とするＬＡＮインターフェースを有する構内電話システム。
【請求項２】
前記構内電話システムは、内線端末としてＩＰ電話を備え、
前記主装置のＬＡＮインターフェースから前記ＩＰ電話と前記ＤＳＳコンソールが前記ＬＡＮスイッチを介して情報端末と同一ＬＡＮ上に接続されることを特徴とする請求項１に記載のＬＡＮインターフェースを有する構内電話システム。
【請求項３】
前記構内電話システムは、内線端末としてボタン電話を備え、
前記主装置のボタン電話インターフェースから前記ボタン電話に接続されることを特徴とする請求項１又は２に記載のＬＡＮインターフェースを有する構内電話システム。
【請求項４】
前記主装置は、前記情報端末からＬＡＮインターフェースを介してＤＳＳコンソールのボタン番号の割り当て情報を受信し、ＤＳＳコンソールのボタン番号に対応して各内線端末を割り当て設定する手段を有し、
前記ＤＳＳコンソールは、前記情報端末からＬＡＮインターフェースを介してボタン番号の割り当て情報を受信し、ボタン番号に対応して各内線端末を割り当てる手段を有することを特徴とする請求項１〜３のいずれかに記載のＬＡＮインターフェースを有する構内電話システム。
【請求項５】
ＬＡＮ経由でのデータ送受信は、ＵＤＰを用いて行うことを特徴とする請求項４に記載のＬＡＮインターフェースを有する構内電話システム。
【請求項６】
前記ＤＳＳコンソールは、各ボタンに対応して電話帳データの可視表示機能を有することを特徴とする請求項１〜５のいずれかに記載のＬＡＮインターフェースを有する構内電話システム。
【発明の詳細な説明】
【技術分野】
【０００１】
本発明は、構内電話システムの複数の内線端末を収容して外線との交換を行う主装置とＤＳＳ（ダイレクト・ステーション・セレクション）コンソール、ＩＰ電話機等を収容した構内電話システムに関する。
【背景技術】
【０００２】
従来のＬＡＮインターフェースを有しないボタン電話システム上にＤＳＳコンソール等を収容した構成を、図１に基づいて説明する。１は、ボタン電話システムの主装置、４は、パソコン（以下ＰＣ）である。この主装置１にはそれぞれ、ボタン電話機インターフェース１１を介してボタン電話機２、およびＤＳＳコンソール３が接続されている。このように、ボタン電話システムに収容されるＤＳＳコンソール３等のデータ伝送は、ボタン電話機２とは異なる専用の接続ラインケーブルで主装置１との間を結んで行われている。なお、ＤＳＳコンソール３は、内線のボタン電話から内線番号をダイヤルすることなく、ワンタッチボタンで容易に相手の内線端末を呼べるようにしたものである。各ボタンに割り振られている内線番号は、主装置１により設定される。
【０００３】
また、ＤＳＳコンソール、アテンダントコンソール等をボタン電話機に接続し、ＤＳＳコンソール、アテンダントコンソール等に必要なデータの送受信をボタン電話機経由で主装置との間で行うディジタル電話システムがある（例えば、特許文献１参照）。
【特許文献１】特開平６−１６５２３６号公報
【発明の開示】
【発明が解決しようとする課題】
【０００４】
しかしながら、従来のＤＳＳコンソールを収容したボタン電話システムでは、専用の接続ラインケーブルが必要とされ、設置時の配線の複雑化、ＰＣ等のＬＡＮ配線等を合わせ机上の多配線が問題となっていた。また、内線番号を主装置から割り振られ、ＤＳＳコンソール毎に任意に設定ができなかった。
【０００５】
そこで本発明は、ＤＳＳコンソール等に専用の接続ラインケーブルを不要とし、設置時の配線、机上配線の簡素化を図ったＬＡＮインターフェースを有する構内電話システムとＤＳＳコンソール毎に任意な内線番号および外線番号の設定方法を提供することを目的とする。
【課題を解決するための手段】
【０００６】
上述の課題を解決するため、本発明は、複数の内線端末を収容して外線との交換を行う主装置と連係してワンタッチボタンで内線端末を呼べるようにするＤＳＳコンソールを有する構内電話システムにおいて、主装置はＬＡＮインターフェースを有し、ＤＳＳコンソールはＬＡＮスイッチ機能を有するＬＡＮインターフェースを有し、主装置のＬＡＮインターフェースからＤＳＳコンソールがＬＡＮスイッチを介してＰＣと同一ＬＡＮ上に接続されることを特徴とする。
【０００７】
さらに、ＰＣ等からＬＡＮ経由で内線番号や外線番号を含む電話帳データをＤＳＳコンソールの各ボタンに任意に割り振る。
【０００８】
本発明では、ＤＳＳコンソール等へのデータ伝送をＬＡＮインターフェースを介して行うことにより、ＤＳＳコンソール等を構内電話システムに収容する場合に専用の配線が不要となる。従って、ＤＳＳコンソール等に独自に必要な専用の接続ラインケーブルを削減することができる。
【０００９】
またＤＳＳコンソールにＬＡＮスイッチ機能を有することにより机上への配線であるＬＡＮケーブルのみでＩＰ電話機およびＰＣとのネットワークの構築が可能となり設置時および増設時のコスト低減と共に、机上の多配線化を防ぎ周辺環境を良くすることができる。
【発明の効果】
【００１０】
本発明によれば、ＩＰ電話機、ＤＳＳコンソール共に同一のＬＡＮインターフェースを介して接続することが可能となり専用の接続ラインケーブルを不要とし、システム構築時のコスト低減と共に、配線の簡素化が図られる。
【００１１】
同様にＩＰ電話機を設置していない机上においても既存のＰＣ用のＬＡＮ配線を利用することにより、ＤＳＳコンソールに必要なデータの送受信をＬＡＮインターフェース経由で構内電話システムの主装置との間で行うことが可能となりシステム構築後の構成の増設・変更時のコスト低減、配線の簡素化が図られる。
【００１２】
ＬＡＮを介したデータ送受信にＵＤＰ(User Datagram Protocol)を用いることにより、ネットワーク上のＰＣから個別にＤＳＳコンソール上のボタンデータの容易な設定が可能になる。また、ＤＳＳコンソールにＬＣＤ等の文字表示機能を付加することにより、各ボタンに対応して電話帳データの可視表示サービス機能の提供が可能となる。
【発明を実施するための最良の形態】
【００１３】
次に、本発明の最良の形態について図面を参照して説明する。
【実施例】
【００１４】
図２は、本発明による構内電話システムの構成図である。構内電話システムの主装置１にはそれぞれ、ＬＡＮインターフェース１２からスイッチング・ハブ（ＨＵＢ）６を介してＬＡＮスイッチ機能を有するＬＡＮインターフェースを備えたＩＰ電話機５、およびＬＡＮスイッチ機能を有するＬＡＮインターフェースを備えたＤＳＳコンソール３に、ＬＡＮインターフェースを介してパソコン等の情報端末（ＰＣ）４が接続されている。ＩＰ電話に対応するため、ＬＡＮを介したデータ送受信にＵＤＰ(User Datagram Protocol)を用いることにより、処理負荷が軽く、高速に処理することができる。
【００１５】
収容しようとするＤＳＳコンソール３は、ＬＡＮスイッチ機能を有するＩＰ電話機５のＬＡＮインターフェース５３を介し接続され、主装置１とＩＰ電話機５の間はもうひとつのＬＡＮインターフェース５１を介して接続する。ＤＳＳコンソール３に必要なデータの送受信、連係する電話機の情報をＩＰ電話機５のＬＡＮスイッチ回路５２経由で主装置１との間で行う。ＰＣ４はＤＳＳコンソール３のもうひとつのＬＡＮインターフェース３３を介しＬＡＮに接続される。ＤＳＳコンソール３は、ＬＡＮインターフェース３１によって主装置１とデータの送受信ができるため、ＤＳＳコンソール３専用の接続ラインケーブルは必要ない。
【００１６】
図３は、図２と同様に主装置１にＬＡＮインターフェース１２を有するが、ＩＰ電話機ではなくボタン電話機２とＰＣ４が配置されている環境に、ＬＡＮスイッチ機能を有するＬＡＮインターフェースを備えたＤＳＳコンソール３をＨＵＢ６を介して接続する。ＤＳＳコンソール３は、主装置１とはＬＡＮインターフェース３１を介しボタン電話機２と連係を行う。ＰＣ４は、ＤＳＳコンソール３のもうひとつのＬＡＮインターフェース３３を介しＬＡＮに接続される。ＤＳＳコンソール３は、ＬＡＮインターフェース３１によって主装置１とデータの送受信ができるため、ＤＳＳコンソール３専用の接続ラインケーブルは必要ない。
【００１７】
図４は、本発明のシステムシーケンスを示す。ＤＳＳコンソール３は、起動後（Ｓ１）、主装置へＭＡＣアドレスの通知を行い（Ｓ２）、主装置からＩＰアドレスの取得をする（Ｓ３）。次にＤＳＳコンソール３を通常モードから保守モードに遷移させ、連係する主装置１の配下のＩＰ電話機５又は、ボタン電話機２の内線番号を主装置に通知する（Ｓ４）。主装置１はＤＳＳコンソール３と連係するＩＰ電話機５又は、ボタン電話機２の内線番号の設定を行う（Ｓ５）。ＤＳＳコンソール３のボタンが押下された場合（Ｓ６）、主装置１に設定された内線番号又は、ＤＳＳコンソール３の設定された番号へ発呼され（Ｓ７）、ＤＳＳコンソール３はＬＥＤを点灯させる（Ｓ８）。主装置１から連係するＩＰ電話機５又は、ボタン電話機２へダイヤル発呼通知および回線が補足され（Ｓ９）、通話が確立し（Ｓ１０）、終話となりＬＥＤを消灯後に待機状態になる（Ｓ１１）。
【００１８】
更に、ＤＳＳコンソール３の各ボタンの内線番号を主装置１から割り振られた内容ではなく、ＰＣ４からＬＡＮインターフェースを介して内線番号や外線電話番号等のデータを設定し、連係するボタン電話機２、ＩＰ電話機５に割り当てることを可能とする。ＰＣ４からＬＡＮ経由で主装置１やＤＳＳコンソール３に必要なデータの送受信は、ＵＤＰを用いて行う。
【００１９】
図５は、そのための設定データのダウンロードシーケンスを示す。ＰＣ４上の専用アプリケーションから、設定したいＤＳＳコンソール３と連係するＩＰ電話機５又はボタン電話機２の内線番号の通知を主装置１に行う（Ｓ２１）。主装置１は、ＤＳＳコンソール３の「ＩＰアドレス」の通知をＰＣ４に行う（Ｓ２２）。ＤＳＳコンソール３は、保守モードに入り、ＰＣ４から送信される電話番号データの送信を待ち（Ｓ２３）、ＰＣ４から、電話番号データ、電話帳データを受信（Ｓ２４）した後、ＰＣ４へデータの受信完了を通知する（Ｓ２５）。ＤＳＳコンソール３のボタンが押下された場合（Ｓ２６）、ＤＳＳコンソール３の設定された番号へ主装置１から発呼される（Ｓ２７）。
【００２０】
図６は、ＤＳＳコンソール上の可視表示機能を示す。ＤＳＳコンソールにＬＣＤ等の文字表示機能を付加し、上述のＰＣからの設定データのダウンロード機能を用い、各ボタンに対応して電話帳データの可視表示サービス機能を提供する。各ボタン横のＬＣＤには、対応する電話番号の利用者名や部署名等が表示される。
【図面の簡単な説明】
【００２１】
【図１】従来例によるＤＳＳコンソールを収容したボタン電話システムの構成図である。
【図２】本発明による構内電話システムの構成図である。
【図３】本発明による他の構内電話システムの構成図である。
【図４】本発明によるシステムシーケンス図である。
【図５】本発明によるＰＣからのダウンロード動作シーケンス図である。
【図６】本発明によるＤＳＳコンソール上の可視表示機能図である。
【符号の説明】
【００２２】
１  主装置
２  ボタン電話機
３  ＤＳＳコンソール
４  パソコン（ＰＣ）
５  ＩＰ電話機
６  スイッチング・ハブ（ＨＵＢ）
７  机上
１１  ボタン電話機インターフェース
１２  主装置ＬＡＮインターフェース
【図１】
2006165655.tif 000003
【図２】
2006165655.tif 000004
【図３】
2006165655.tif 000005
【図４】
2006165655.tif 000006
【図５】
2006165655.tif 000007
【図６】
2006165655.tif 000008